(57)【要約】      （修正有）【課題】布団圧縮袋を電気掃除機で吸引する際、多様な形状の吸引ノズルであっても、確実に吸引できる布団圧縮袋用アタッチメントを提供する。【解決手段】布団圧縮袋用アタッチメント１は、電気掃除機の吸引ノズル先端部と気密に接合するノズル接合部１０と、ノズル接合部１０と一体に成形され、布団圧縮袋のシートと気密に接合する布団圧縮袋接合部２０とで構成されている。ノズル接合部１０は、横断面が円筒状に形成され、布団圧縮袋接合部２０に近づくにしたがって、外面１１の直径が大きくなるように形成されている。ノズル接合部１０の外面１１は、縦断面が曲面となるように形成されている。布団圧縮袋接合部２０は、全体形状が略皿を伏せたように形成されており、その内部に吸引バルブを収納できる空間２１が確保されている。外周縁には、略直角方向に円環部２２が形成されている。【選択図】図１
0003214194.tif 000002
【実用新案登録請求の範囲】
【請求項１】
電気掃除機の吸引ノズル先端部の内面に気密に接合するノズル接合部と、布団圧縮袋の吸引バルブを覆うとともに布団圧縮袋のシートに押圧することにより気密に接合する布団圧縮袋接合部とからなることを特徴とする布団圧縮袋用アタッチメント。
【請求項２】
前記ノズル接合部が、断面円筒状に形成されるとともに、布団圧縮袋接合部に近づくにしたがって、その外面の直径が大きくなっていくことを特徴とする請求項１記載の布団圧縮袋用アタッチメント。
【請求項３】
前記ノズル接合部の外面が、曲面に形成されていることを特徴とする請求項２記載の布団圧縮袋用アタッチメント。
【請求項４】
前記ノズル接合部の外面が、上端近傍から中ほどにかけて内側に凸でかつ直径が大きくなる凹部と、該凹部から連続して外側に凸でかつ直径が大きくなる凸部とが形成されていることを特徴とする請求項３記載の布団圧縮袋用アタッチメント。
【請求項５】
前記ノズル接合部が弾性部材で形成されていることを特徴とする請求項１、２、３又は４記載の布団圧縮袋用アタッチメント。
【請求項６】
前記布団圧縮袋接合部が、皿状に形成されていることを特徴とする請求項１、２、３、４又は５記載の布団圧縮袋用アタッチメント。
【請求項７】
前記布団圧縮袋接合部に電気掃除機の吸引ノズルの突起に対応する窪みが形成されていることを特徴とする請求項１、２、３、４、５又は６記載の布団圧縮袋用アタッチメント。
【請求項８】
前記布団圧縮袋接合部が、吸引バブルの外周を覆う内筒と、該内筒の外周に形成された外筒と、該内筒と外筒とを連結するリブとを有することを特徴とする請求項１、２、３、４、５、６又は７記載の布団圧縮袋用アタッチメント。
【請求項９】
前記布団圧縮袋接合部の下端外周縁に略直角方向に広がった円環部が形成されていることを特徴とする請求項１、２、３、４、５、６、７又は８記載の布団圧縮袋用アタッチメント。
【考案の詳細な説明】
【技術分野】
【０００１】
本考案は、布団圧縮袋用アタッチメントに関するもので、さらに詳しくは、布団圧縮袋の吸引バルブと電気掃除機の吸引ノズルとの間に介して用い、電気掃除機による吸引漏れがないようにした布団圧縮袋用アタッチメントに関するものである。
【背景技術】
【０００２】
近年、布団等の寝具類を収納保管する際に、布団圧縮袋に寝具類を収納し、電気掃除により布団圧縮袋内の空気を吸引するとともに、寝具類の空気も吸引することにより、全体的な嵩を減少させてコンパクトに収納保管することが行われている。
【０００３】
従来、このような布団圧縮袋等の空気を電気掃除機で吸引するには、布団圧縮袋に吸引バルブを設け、この吸引バルブに電気掃除機の吸引ノズルの先端を気密に被せて行っていた。
【０００４】
しかしながら、現在、各メーカーから多様な電気掃除機が販売されており、それらの中の吸引ノズルには、吸引バルブに気密に被せることが出来ない形状のものがあった。そこで、弁本体と該弁本体を被覆する弁蓋、及び弁本体の中央凹部にセットされてエアー吸込み穴を開閉することが出来る弁からなり、上記弁蓋に掃除機の吸引ノズル先端部が挿入されるシール袋を取り付けたことを特徴とする布団圧縮袋が提案されている（特許文献１参照）。
【先行技術文献】
【特許文献】
【０００５】
【特許文献１】特開２０１０−８３５０５号公報
【考案の概要】
【考案が解決しようとする課題】
【０００６】
しかしながら、上述した布団圧縮袋においては、柔軟なシール袋内に吸引ノズル先端部を挿入し、シール袋を吸引ノズル先端部の周囲に巻き付けた状態で吸引するものであった。したがって、シール袋を吸引ノズルに巻き付ける作業が必要であり、また、その状態を維持するために、手で把持することが必要であった。以上のように、上記布団圧縮袋においては、吸引作業が面倒なものであった。
【０００７】
本考案は、以上の問題点を解決するためになされたもので、多様な形状の吸引ノズルであっても気密に接合することが出来るとともに、布団圧縮袋とも気密に接合することが出来るアタッチメントを用い、極めて容易に、かつ吸引漏れがなく布団圧縮袋内の空気を吸引できるようにすることを目的とする。
【課題を解決するための手段】
【０００８】
請求項１に係る布団圧縮袋用アタッチメントは、電気掃除機の吸引ノズル先端部の内面に気密に接合するノズル接合部と、布団圧縮袋の吸引バルブを覆うとともに布団圧縮袋のシートに押圧することにより気密に接合する布団圧縮袋接合部とからなることを特徴としている。
【０００９】
請求項２に係る布団圧縮袋用アタッチメントは、ノズル接合部が、断面円筒状に形成されるとともに、布団圧縮袋接合部に近づくにしたがって、その外面の直径が大きくなっていくことを特徴として構成されている。
【００１０】
請求項３に係る布団圧縮袋用アタッチメントは、ノズル接合部の外面が、曲面に形成されていることを特徴として構成されている。
【００１１】
請求項４に係る布団圧縮袋用アタッチメントは、ノズル接合部の外面が、上端近傍から中ほどにかけて内側に凸でかつ直径が大きくなる凹部と、該凹部から連続した外側に凸でかつ直径が大きくなる凸部とが形成されていることを特徴として構成されている。
【００１２】
請求項５に係る布団圧縮袋用アタッチメントは、ノズル接合部が弾性部材で形成されていることを特徴として構成されている。
【００１３】
請求項６に係る布団圧縮袋用アタッチメントは、布団圧縮袋接合部が、皿状に形成されていることを特徴として構成されている。
【００１４】
請求項７に係る布団圧縮袋用アタッチメントは、布団圧縮袋接合部に電気掃除機の吸引ノズルの突起に対応する窪みが形成されていることを特徴として構成されている。
【００１５】
請求項８に係る布団圧縮袋用アタッチメントは、布団圧縮袋接合部が、吸引バルブの外周を囲う内筒と、該内筒の外周に形成された外筒と、該内筒と外筒とを連結するリブとを有することを特徴として構成されている。
【００１６】
請求項９に係る布団圧縮袋用アタッチメントは、布団圧縮袋接合部の下端外周縁に略水平方向に広がった円環部が形成されていることを特徴として構成されている。
【考案の効果】
【００１７】
請求項１に係る布団圧縮袋用アタッチメントにおいては、ノズル接合部が、電気掃除機の吸引ノズル先端部の内面に気密に接合するように構成されているので、電気掃除機の吸引ノズル先端部をノズル接合部に被嵌するだけで（ノズル接合部を吸引ノズル先端部に挿入するだけで）、ノズル接合部と吸引ノズル先端部とを容易に気密に接合することができる。また、布団圧縮袋接合部は、布団圧縮袋の吸引バルブを覆うとともに布団圧縮袋のシートに押圧することにより気密に接合することができるので、布団圧縮袋接合部と布団圧縮袋とを容易に気密に接合することができる。その結果、吸引ノズル先端部と吸引バルブとを気密状態で維持することができるので、吸引漏れが発生することがなく、布団圧縮袋を確実に圧縮することができる。
【００１８】
請求項２に係る布団圧縮袋用アタッチメントにおいては、ノズル接合部が、断面円筒状に形成されるとともに、布団圧縮袋接合部に近づくにしたがって、その外面の直径が大きくなっていくように形成されている。したがって、吸引ノズル先端部の内面の径が異なる場合であっても、確実に気密に接合することができる。すなわち、吸引ノズル先端部をノズル接合部に被嵌して接合するが、径の小さい吸引ノズル先端部の場合は、ノズル接合部の上部における径の小さい部位において密着接合し、径の大きい吸引ノズル先端部の場合は、ノズル接合部の下部における径の大きい部位において密着接合する。以上のように、吸引ノズル先端部の内面の径に拘わらず、確実に布団圧縮袋を吸引することができる。
【００１９】
したがって、ノズル接合部の先端の外面の径を、最も小さい吸引ノズル先端部の製品より小さく設定すれば、すべての電気掃除機に対応することができる。
【００２０】
請求項３に係る布団圧縮袋用アタッチメントにおいては、ノズル接合部の外面が曲面に形成されている。したがって、ノズル接合部の外面と、吸引ノズル先端部の内面との接触面積を大きくすることができる。すなわち、ノズル接合部の外面は、垂直方向において曲面となっているので、吸引ノズル先端部の内面は垂直方向において曲面と接触することとなり、単に直線のテーパー状とした場合より接触面積が大きくなる。その結果、より確実に布団圧縮袋を吸引することができる。
【００２１】
請求項４に係る布団圧縮袋用アタッチメントにおいては、ノズル接合部の外面に、上端近傍から中ほどにかけて内側に凸でかつ直径が大きくなる凹部と、凹部から連続して外側に凸でかつ直径が大きくなる凸部とが形成されている。すなわち、ノズル外面の直径は下方へ行くに従って順次大きくなっているが、ノズル接合部の外面の直径の変化率が、上端近傍から中ほどにかけて順次大きくなり、その後、中ほどから下方にかけて順次小さくなるものである。したがって、内径の小さい吸引ノズルであっても、ノズル接合部の上端近傍で接合することなく、ノズル接合部の中ほどまで達したときに接合することとなる。その結果、吸引ノズルとノズル接合部の垂直方向の重なる長さ長くなるので、安定した接合を得ることが出来る。
【００２２】
請求項５に係る布団圧縮袋用アタッチメントにおいては、ノズル接合部が弾性部材で形成されている。したがって、吸引ノズル先端部をノズル接合部に押し下げて被嵌させた際、ノズル接合部が撓み、接触面積が大きくなるとともに、密着性も向上するので、より確実に布団圧縮袋を吸引することができる。
【００２３】
請求項６に係る布団圧縮袋用アタッチメントにおいては、布団圧縮袋接合部が、皿状に形成されている。したがって、布団圧縮袋接合部を吸引バルブを覆うように布団圧縮袋に押圧することにより、布団圧縮袋接合部と布団圧縮袋とを気密に接合することができる。
【００２４】
請求項７に係る布団圧縮袋用アタッチメントにおいては、布団圧縮袋接合部に電気掃除機の吸引ノズルの突起に対応する窪みが形成されている。したがって、突起のある吸引ノズルを有する電気掃除機にも用いることが出来る。
【００２５】
請求項８に係る布団圧縮袋用アタッチメントにおいては、布団圧縮袋接合部が、吸引バルブの外周を囲う内筒と、該内筒の外周に形成された外筒と、該内筒と外筒とを連結するリブとを有している。したがって、二重に気密性を保持することが出来るようになっているので、より確実に布団圧縮袋接合部と布団圧縮袋とを気密に接合することができる。布団圧縮袋接合部と布団圧縮袋とを気密に接合することができる。
【００２６】
請求項９に係る布団圧縮袋用アタッチメントは、布団圧縮袋接合部の下端外周縁に略水平方向に広がった円環部が形成されている。したがって、円環部が、ある程度の面積を持って布団圧縮袋のシートと密着するので、より気密性を確保でき、布団圧縮袋接合部とシートの間から空気が漏れることがない。
【図面の簡単な説明】
【００２７】
【図１】本考案による布団圧縮袋用アタッチメントの第一実施形態の使用状態を示す従断面図
【図２】本考案による布団圧縮袋用アタッチメントの第一実施形態の平面図
【図３】本考案による布団圧袋用アタッチメントの第二の実施形態の平面図
【図４】本考案による布団圧袋用アタッチメントの第二の実施形態の縦断面図
【図５】本考案による布団圧袋用アタッチメントの第二の実施形態の裏面図
【図６】本考案による布団圧袋用アタッチメントの第三の実施形態の平面図
【図７】本考案による布団圧袋用アタッチメントの第三の実施形態の縦断面図
【図８】本考案による布団圧袋用アタッチメントの第三の実施形態の裏面図
【考案を実施するための形態】
【００２８】
本願考案の布団圧縮袋用アタッチメントは、電気掃除機の吸引ノズル先端部の内面に気密に接合するノズル接合部と、布団圧縮袋の吸引バルブを覆うとともに布団圧縮袋のシートに押圧することにより気密に接合する布団圧縮袋接合部とから構成されている。ノズル接合部は吸引ノズル先端部の内面と気密に接合する構成であれば特に限定されないが、例えば、断面円筒状に形成されるとともに、布団圧縮袋接合部に近づくにしたがって、その外面の直径が大きくなっていくように構成することができる。この時、ノズル接合部の外面は、直線状であっても、外又は内に凸の曲面、またはこれらの直線及び曲線を組み合わせて構成することもできる。また、布団圧縮袋用アタッチメント材料は、ある程度の強度を有するとともに、可撓性を有する弾性部材であることが好ましく、例えば、ポリプロピレン樹脂等が好ましい。
【００２９】
本考案による布団圧縮袋用アタッチメントの一実施形態を図面を参照して説明する。図１は、布団圧縮袋用アタッチメントの使用状態を示す従断面図、図２は、布団圧縮袋用アタッチメントの平面図である。
【００３０】
これらの図において、布団圧縮袋用アタッチメント１は、電気掃除機の吸引ノズル先端部と気密に接合するノズル接合部１０と、ノズル接合部１０と一体に成形され、布団圧縮袋のシートと気密に接合する布団圧縮袋接合部２０とで構成されている。ノズル接合部１０は、横断面が円筒状に形成され、布団圧縮袋接合部２０に近づくにしたがって、すなわち上端から下端に行くにしたがって、外面１１の直径が大きくなるように形成されている。
【００３１】
また、ノズル接合部１０の外面１１は、縦断面が曲面となるように形成されている。すなわち、上端から下端にかけて外に凸となるように曲面に形成されており、その曲率は、上端から下端に行くにしたがって、徐々に小さくなるように設定されている。
【００３２】
前記布団圧縮袋接合部２０は、全体形状が略皿を伏せたように形成されており、その内部に吸引バルブを収納できる空間２１が確保されている。そして、その外周縁には、略直角方向（水平方向）に円環部２２が形成されている。
【００３３】
前記ノズル接合部１０と布団圧縮袋接合部２０からなる布団圧縮袋用アタッチメント１は、ＰＰ樹脂からなる弾性部材で一体に形成され、外部からの圧力により若干撓む構造となっている。
【００３４】
布団圧縮袋用アタッチメント１の寸法は任意に設定することができるが、一例として、以下の寸法にすることができる。
【００３５】
ノズル接合部１０の外面先端の径ａ：２８ｍｍ、ノズル接合部１０の外面下端の径ｂ：３５ｍｍ、布団圧縮袋接合部２０の径ｃ：６６ｍｍ、円環部２２の幅ｄ：５ｍｍ、布団圧縮袋用アタッチメントの高さｅ：３９ｍｍ
【００３６】
以上のような布団圧縮袋用アタッチメント１を用いて布団圧縮袋を吸引するには、図１に示すように、布団圧縮袋接合部２０を、布団圧縮袋３の吸引バルブ３１に被せて空間２１に収納するとともに、その円環部２２を吸引バルブ３１の外側のシート３２に設置する。次に、電気掃除機の吸引ノズル先端部４を、ノズル接合部１０の上方から下方へ押し被せ、吸引ノズル先端部４の内面４１が、ノズル接合部１０の外面１１に圧接するようにする。この時、ノズル接合部１０の外面１１は僅かに撓み、内面４１と外面１１との接触面積を広げるとともに、弾性による圧力で強固に密着する。したがって、内面４１と外面１１との間から空気が漏れることがない。
【００３７】
この状態で、布団圧縮袋用アタッチメント１を布団圧縮袋３に押し付ける。すると、円環部２２がシート３２密着し、円環部２２とシート３２との間から空気が漏れることがない。
【００３８】
なお、吸引ノズル４の内面４１の径が３５ｍｍを超える場合は、上述したように内面４１がノズル接合部１０の外面１１に圧接することは無いが、吸引ノズル４の先端面４２を布団圧縮袋接合部２０の上面に圧接させることにより、同様に気密性を確保することができる。
【００３９】
本考案による布団圧縮袋用アタッチメントの第二の実施形態を図面を参照して説明する。図３は、布団圧縮袋用アタッチメントの平面図、図４は、布団圧縮袋用アタッチメントの縦断面図、図５は布団圧縮袋用アタッチメントの裏面図である。
【００４０】
これらの図において、布団圧縮袋用アタッチメント１は、電気掃除機の吸引ノズル先端部と気密に接合するノズル接合部５０と、ノズル接合部５０と一体に成形され、布団圧縮袋のシートと気密に接合する布団圧縮袋接合部６０とで構成されている。ノズル接合部５０は、横断面が円筒状に形成され、布団圧縮袋接合部６０に近づくにしたがって、外面５１の直径が大きくなるように形成されている。すなわち、上端側から下端側にかけて凹部５２と凸部５３とが連続的に形成されており、前記凹部５２は、上端近傍から中ほどにかけて内側に凸でかつ直径が大きくなるように形成され、前記凸部５３は、中ほどにおいて凹部５２から連続して外側に凸でかつ直径が大きくなるように形成されている。
【００４１】
したがって、ノズル接合部５０の外面の直径は、上端近傍から中ほどに掛けて緩やかな幾何級数的に大きくなり、中ほどから下方へ掛けて緩やかな幾何級数的に小さくなっている。
【００４２】
前記布団圧縮袋接合部６０は、全体形状が略皿を伏せたように形成されており、その一部が窪んで窪み６１が形成されており、突起のある吸引ノズルを用いた場合、その突起が窪み６１に入り込み邪魔にならないようになっている。
【００４３】
また、布団圧縮袋接合部６０は、ノズル接合部５０から連続した内筒６２と、この内筒６２の外周に形成された外筒６３とが設けられるとともに、内筒６２と外筒６３との間を結ぶリブ６４が複数形成されている。また、前記窪み６１には、略直角方向（水平方向）に水平部６５が形成されている。
【００４４】
前記ノズル接合部５０と布団圧縮袋接合部６０からなる布団圧縮袋用アタッチメント１は、ＰＰ樹脂からなる弾性部材で一体に形成され、外部からの圧力により若干撓む構造となっている。
【００４５】
布団圧縮袋用アタッチメント１の寸法は任意に設定することができるが、一例として、以下の寸法にすることができる。
【００４６】
ノズル接合部５０の外面先端の径ｅ：２３ｍｍ、ノズル接合部５０の外面下端の径ｆ：３４．６ｍｍ、ノズル接合部５０の高さｇ：３０ｍｍ、布団圧縮袋接合部２０の高さｈ：８．９ｍｍ、布団圧縮袋接合部の径ｉ：５８．４ｍｍ
【００４７】
本考案による布団圧縮袋用アタッチメントの第三の実施形態を図面を参照して説明する。図６は、布団圧縮袋用アタッチメントの平面図、図７は、布団圧縮袋用アタッチメントの縦断面図、図７は布団圧縮袋用アタッチメントの裏面図である。
【００４８】
これらの図に示す第三の実施形態の布団圧縮袋用アタッチメント１は、前記第二の実施形態の布団圧縮袋用アタッチメントにおいて、布団圧縮袋接合部６０が円盤状ではなく、周縁の対応する一部が若干内側に窪んだ長円状に形成されている他は、同一形状及び同一寸法に形成されている。
【符号の説明】
【００４９】
１  ：布団圧縮袋用アタッチメント１０：ノズル接合部１１：外面２０：布団圧縮袋接合部２１：空間２２：円環部３  ：布団圧縮袋３１：吸引バルブ３２：シート４  ：吸引ノズル先端部５０：ノズル接合部５２：凹部５３：凸部６０：布団圧縮袋接合部６１：窪み６２：内筒６３：外筒６４：リブ
【図１】
0003214194.tif 000003
【図２】
0003214194.tif 000004
【図３】
0003214194.tif 000005
【図４】
0003214194.tif 000006
【図５】
0003214194.tif 000007
【図６】
0003214194.tif 000008
【図７】
0003214194.tif 000009
【図８】
0003214194.tif 000010